【手続補正書】
【提出日】平成23年5月10日(2011.5.10)
【手続補正１】
【補正対象書類名】明細書
【補正対象項目名】００３５
【補正方法】変更
【補正の内容】
【００３５】
図１Ｂは、ＵｍおよびＬｂインターフェースの階層化モデルを示している。ＭＳ１０（ターゲットＭＳ）中の層は、物理層、レイヤ１またはＬ１と呼ばれる第１の層と、Ｌ２（ＬＡＰＤｍ）と呼ばれる第２の層と、ＧＳＭ０４．０８仕様に従ってモデル化された無線リソース（ＲＲ）層と呼ばれる第３の層と、最後にアプリケーション層とを含む。この場合、アプリケーション層は、ＧＳＭ０４．３１およびＧＳＭ０４．３５勧告で定義された無線リソースロケーションプロトコル（Radio Resource Location Protocol（ＲＲＬＰ））である。ＢＳＳ２０（ＢＳＣ２４として図示）は、Ｌ１と、Ｌ２（ＬＡＰＤ）と、ＲＲ層とを含む、対応する階層化モデルを有し、ＲＲＬＰメッセージはＢＳＳ２０を通過する。ＢＳＳ２０は、必要に応じて下位層をＬｂインターフェースを介してＳＭＬＣ５０に中継する。層は、ＭＴＰと、ＭＴＰに対応するＳＣＣＰ、ＢＳＳＬＡＰ−ＬＥおよびＢＳＳＬＡＰ層と、ＳＭＬＣ５０内のＳＣＣＰ、ＢＳＳＬＡＰ−ＬＥおよびＢＳＳＬＡＰ層とを含む。ＢＳＳＬＡＰ−ＬＥおよびＢＳＳＬＡＰインターフェースに関する追加情報については、ＧＳＭ０９．２１およびＧＳＭ０８．７１勧告を参照されたい。
【手続補正２】
【補正対象書類名】明細書
【補正対象項目名】００３７
【補正方法】変更
【補正の内容】
【００３７】
図１Ｃは、通常のＲＲＬＰセッションのメッセージ流れ図を示している。時間ａにおいて、ＳＭＬＣ５０は、要求（Request）メッセージ８０をＬｂインターフェースを介してＢＳＳ２０に送信する。ＢＳＳ２０は、この要求を再パッケージ化し、ダウンリンクＵｍエアインターフェースを介して送信されるＲＲＬＰ要求（RRLP Request）８５としてＭＳ１０に転送する。内部的に、ＭＳ１０は、ＲＲＬＰセッションを開始し、最終的に、アップリンクＵｍエアインターフェースを介してＲＲＬＰ応答（RRLP Response）メッセージ９０で応答する。ＢＳＳ２０は、同じくこの応答を再パッケージ化し、Ｌｂインターフェースを介して応答（Response）メッセージ９５でＳＭＬＣ５０に転送し、ＳＭＬＣ５０は、時間ｂにおいてその応答を受信する。以下で、ＳＭＬＣ５０との間のそのような要求および応答をＲＲＬＰ要求およびＲＲＬＰ応答と呼ぶ。
【手続補正３】
【補正対象書類名】明細書
【補正対象項目名】００６９
【補正方法】変更
【補正の内容】
【００６９】
状態３３０では、ＭＳ１０は、現在のＲＲＬＰセッションをアボートするが、位置決定を継続する。リビッドＲＲＬＰ位置測定要求メッセージ１２０Ａを受信すると、ＭＳ１０は、状態３４０に入るが、位置決定プロセスを同じく継続する。ＭＳ１０が位置を決定するか、またはタイムアウトが発生すると（移行３５０として示す）、ＭＳ１０は状態３４０を出て状態３２０に入る。状態３２０では、ＭＳ１０はＲＲＬＰ位置測定応答メッセージ３２０をネットワーク７０に送信する。
【手続補正４】
【補正対象書類名】明細書
【補正対象項目名】００８７
【補正方法】変更
【補正の内容】
【００８７】
図１５は、ワイヤレスネットワーク中のネットワーク７０とＭＳ１０との間のリビッドを最小限に抑える方法を示している。時間ａにおいて、ネットワーク７０はＲＲＬＰ要求メッセージ１００を送信し、それによってセッションを開く。ＲＲＬＰ要求メッセージ１００は、ＲＲＬＰ支援データメッセージ１１０またはＲＲＬＰ位置測定要求メッセージ１２０のいずれかである。時間ｂにおいて、ネットワーク７０は、ＭＳ１０から応答を受信する前、ＲＲＬＰセッションがまだ開いている間に、新しいＲＲメッセージがネットワーク７０からＭＳ１０に送信される準備ができていると判断する。知られているシステムでは、ネットワーク７０は、この新しいＲＲメッセージを直ちに送信し、それによって現在のＲＲＬＰセッションをアボートする。本発明の実施形態によれば、許容できる場合、ネットワーク７０は、現在のＲＲＬＰセッションのアボートを回避するために、新しいＲＲメッセージを送信するのを待つ。すなわち、ＲＲＬＰセッションのアボートを回避するために、ＲＲＬＰ応答／確認応答メッセージ１０２が受信された後まで、ネットワーク７０は新しいＲＲメッセージを保持し、それによってＲＲＬＰセッションを正常に閉じるようにする。特定の新しいＲＲメッセージに基づいて、ネットワーク７０は、新しいＲＲメッセージを送信するのを待つか、または新しいＲＲメッセージを完全に落とすことができる。時間ｃにおいて、ネットワーク７０はＲＲＬＰ応答／確認応答メッセージ１０２を受信し、認識する。すぐ後に、時間ｄにおいて、新しいＲＲメッセージが落とされなかった場合、ネットワーク７０は、ＲＲＬＰセッションが閉じた後に新しいＲＲメッセージを送信し、したがってＲＲＬＰセッションのアボートを回避する。
【手続補正５】
【補正対象書類名】明細書
【補正対象項目名】００９６
【補正方法】変更
【補正の内容】
【００９６】
同じく図示の、時間ｆの後、たとえば、現在のアクティビティタイマ上の残り時間が、ネットワークによって与えられた応答時間よりも少ない場合、ＭＳ１０は、アクティビティタイマを現在のカウントダウン時間（たとえば、２０秒）からネットワーク応答時間に一致する値にリセットする（Ａｃｔ＿ｔｉｍｅｒ＝ＮＷ応答時間）。このようにして、ＭＳ１０は、位置測定フィックスが決定され、ネットワーク７０に伝達される前に、ＧＰＳエンジンを早期にシャットダウンすることはない。ＭＳ１０は、同様に、第２のカウントダウンタイマを応答時間に設定することができる（Ａｃｔ＿ＲＴ＝ＮＷ応答時間）。このタイマは、ＭＳ１０が決定された位置をいつ送信するかを設定するために、ＭＳ１０によって使用される。
【手続補正６】
【補正対象書類名】明細書
【補正対象項目名】０１００
【補正方法】変更
【補正の内容】
【０１００】
図１８は、緊急サービス（ＥＳ）呼のためのコールフロー処理の別の実施形態を示す。このシナリオでは、位置要求メッセージは、ＭＳ１０がオンタイム位置応答で応答するようにジャストインタイムで伝達される。フローは、図１７に関して前述したように開始する。時間ａ（ｔ＝０）において、ＭＳ１０はＥＳ呼を識別し、次いで応答して、ＧＰＳエンジンを始動する。同じく、アクティビティカウントダウンタイマが設定される（Ａｃｔ＿ｔｉｍｅｒ＝４０秒）。時間ｂにおいて、ネットワーク７０は第１のＲＲＬＰ支援データメッセージ１４０を送信する。時間ｃにおいて、ＭＳ１０はＲＲＬＰ支援データＡｃＫメッセージ１４２で応答する。プロセスは、１４０／１４２のメッセージの複数の組を伝達し続けることができる。
【手続補正７】
【補正対象書類名】明細書
【補正対象項目名】０１０７
【補正方法】変更
【補正の内容】
【０１０７】
図１９は、緊急サービス（ＥＳ）呼のためのコールフロー処理のさらに別の実施形態を示している。このシナリオでは、（支援データをもつまたはもたない）第１の位置要求メッセージ１２０は、最終のＲＲＬＰ支援データメッセージ１４４の直後に伝達される。このＲＲＬＰセッションが中断された場合、ネットワーク７０は、いつ位置が必要であるかに基づく所定時間まで位置リビッド要求メッセージ１２０Ａ（支援データをもたないメッセージ）の送信を遅延させる。他の場合、時間ａから時間ｆまでのイベントおよびメッセージフローは、図１７に関して上述したものと同じであり、説明は繰り返さない。
【手続補正８】
【補正対象書類名】明細書
【補正対象項目名】０１１４
【補正方法】変更
【補正の内容】
【０１１４】
図２０は、ネットワーク７０がジャストインタイム測定要求メッセージを送信するが、支援データメッセージの早期のリビッドにより、ＭＳ１０はネットワークによって与えられた精度を使用するシナリオを示す。時間ａ〜ｄにおけるイベントおよびメッセージは、図１９のものと同じである。時間ｅにおいて、セッションは追加ＲＲメッセージ１３０でアボートされる。同様に、ネットワークはメッセージ１４４の移行をプリエンプトすることがある。時間ｆおよびｇにおいて、支援データは、リビッドＲＲＬＰ支援データメッセージ１４４Ａとして送信され、ＲＲＬＰ支援データＡｃｋメッセージ１４６で確認される。リビッドメッセージは、第１の支援データメッセージのリビッド（図示せず）、第２の支援データメッセージ（図示）または支援データメッセージの他のセグメント化シーケンス（図示せず）とすることができる。
【手続補正９】
【補正対象書類名】明細書
【補正対象項目名】０１２３
【補正方法】変更
【補正の内容】
【０１２３】
時間ｅ（ｔ＝２０、Ａｃｔ＿ｔｉｍｅｒ＝２５）において、ネットワーク７０は、ＲＲＬＰ位置測定要求メッセージを標準ネットワーク時間（たとえば、ＮＷ応答時間＝１６秒）および標準ネットワーク精度値（たとえば、ＮＷ精度＝５１．２メートル）で準備する。ネットワーク７０はＲＲＬＰ位置測定要求メッセージ１２０を送信し、ＭＳ１０はＲＲＬＰ位置測定要求メッセージ１２０を受信する。ＥＳ呼とは異なり、ＭＳ１０は、ネットワークによって与えられたいかなるパラメータをも廃棄しない。ＭＳ１０は、そのアクティビティタイマ、アクティビティ応答タイマおよびアクティビティ精度パラメータをネットワークによって与えられた値（すなわち、それぞれ、Ａｃｔ＿ｔｉｍｅｒ＝ＮＷ応答時間、Ａｃｔ＿ＲＴ＝ＮＷ応答時間、およびＡｃｔ＿Ａｃｃｕｒａｃｙ＝ＮＷ精度）に設定する。
【手続補正１０】
【補正対象書類名】特許請求の範囲
【補正対象項目名】請求項９
【補正方法】変更
【補正の内容】
【請求項９】
ワイヤレスネットワーク中のネットワークと移動局との間の位置測定要求メッセージのリビッドを低減するためのネットワークであって、
ロケーションデータが必要とされる時間に基づく所定時間まで待つためのタイマと、
前記所定時間において、ネットワーク応答時間とネットワーク精度とを備える位置測定要求メッセージを送信するための送信機と、
前記ロケーションデータが必要とされる前の時間において、前記ロケーションデータを備える位置測定応答メッセージを受信するための受信機と、
を備えるネットワーク。
【手続補正１１】
【補正対象書類名】図面
【補正対象項目名】図１Ｂ
【補正方法】変更
【補正の内容】
【図１Ｂ】
2010539804.tif 000001
【手続補正１２】
【補正対象書類名】図面
【補正対象項目名】図３
【補正方法】変更
【補正の内容】
【図３】
2010539804.tif 000002